【手続補正書】
【提出日】平成29年4月17日(2017.4.17)
【手続補正１】
【補正対象書類名】特許請求の範囲
【補正対象項目名】全文
【補正方法】変更
【補正の内容】
【特許請求の範囲】
【請求項１】
イメージセンサ（１０８）およびレンズアセンブリ（１０２、２０２）を備えており、前記レンズアセンブリ（１０２、２０２）が、光を前記イメージセンサ（１０８）へと集光するためのレンズと、開口面に配置された開口ゲート（２０４ａ、２０４ｂ）を有する開口ユニット（１０３、２０３）とを備えており、前記開口ゲート（２０４ａ、２０４ｂ）が、前記開口ユニットによって前記開口面内で調節可能な位置、形状、および／またはサイズを有しているカメラ（１００）を使用し、シーンの画像における迷光を特定するための方法（３００）であって、
前記カメラ（１００）によって前記シーンの複数の画像を取得することであって、該複数の画像の各々の画像は、該複数の画像において固有の開口ゲート設定を使用して取得され、該固有の開口ゲート設定は、前記開口面における前記開口ゲート（２０４ａ、２０４ｂ）の位置、形状、および／またはサイズの特有の組み合わせに対応している、取得すること（３０３）と、
前記複数の画像の各々を、対応する画素群へと分割することと、
前記複数の画像の各々の前記対応する画素群に含まれる画素について、平均画素レベルまたはコントラスト値を計算することと、
前記複数の画像における迷光を特定するために、前記計算された平均画素レベルまたはコントラスト値を比較することと
を含む方法。
【請求項２】
シーンの複数の画像における迷光の特定に基づいて前記シーンの出力画像を生成するための方法（３００）であって、
イメージセンサおよびレンズアセンブリを備えており、前記レンズアセンブリが、光を前記イメージセンサへと集光するためのレンズと、開口面に配置された開口ゲートを有する開口ユニットとを備えており、前記開口ゲートが、前記開口ユニットによって前記開口面内で調節可能な位置、形状、および／またはサイズを有しているカメラを使用することと、
前記カメラによって前記シーンの複数の画像を取得することであって、該複数の画像の各々の画像は、該複数の画像において固有の開口ゲート設定を使用して取得され、該固有の開口ゲート設定は、前記開口面における前記開口ゲートの位置、形状、および／またはサイズの特有の組み合わせに対応している、取得することと、
前記複数の画像の各々を、対応する画素群へと分割することと、
前記複数の画像の各々の前記対応する画素群に含まれる画素について、平均画素レベルまたはコントラスト値を計算することと、
前記複数の画像における迷光を特定するために、前記計算された平均画素レベルまたはコントラスト値を比較することと、
前記比較の結果として、対応する画素群における迷光成分の相違に関するデータを生成することと、
前記迷光成分の相違に関するデータにもとづいて前記出力画像を生成すること（３０６）と
を含む方法。
【請求項３】
前記生成すること（３０６）が、
前記迷光成分の相違に関するデータにもとづいて、複数の固有の開口ゲート設定のうちの１つを選択することと、
さらなる画像を取得するために、前記選択された固有の開口ゲート設定を使用することと、
前記さらなる画像を前記出力画像として使用することと
をさらに含む請求項２に記載の方法（３００）。
【請求項４】
前記生成すること（３０６）が、
対応する各々の画素群について、前記複数の画像の中から、複数の固有の開口ゲート設定のうちの１つを、前記取得された画像のうちで前記平均画素レベルが最低である画像または前記取得された画像のうちで前記コントラスト値が最高である画像はどれかを前記迷光成分の相違に関するデータにもとづいて判断することによって、選択することと、
前記取得（３０３）において用いられた前記選択された開口ゲート設定のうちの少なくとも２つを組み合わせることによって、前記選択された開口ゲート設定にもとづいて合成開口ゲート設定を生成することと、
さらなる画像を取得するために、前記合成開口ゲート設定を使用することと、
前記さらなる画像を前記出力画像として使用することと
をさらに含む請求項２に記載の方法（３００）。
【請求項５】
前記生成すること（３０６）が、
前記迷光成分の相違に関するデータにもとづいて前記複数の画像のうちの１つを選択することと、
前記選択された画像を前記出力画像として使用することと
をさらに含む請求項２に記載の方法（３００）。
【請求項６】
イメージセンサ（１０８）と、
光を前記イメージセンサ（１０８）へと集光するためのレンズと、開口面に配置された開口ゲート（２０４ａ、２０４ｂ）を有している開口ユニット（１０３、２０３）と、処理ユニット（１０９）とを備えており、前記開口ゲート（２０４ａ、２０４ｂ）が、前記開口ユニットによって前記開口面において調節することができる位置、形状、および／またはサイズを有している、レンズアセンブリ（１０２、２０２）と、
を備えているカメラ（１００）であって、前記処理ユニットが、
前記カメラによって前記シーンの複数の画像を取得することであって、該複数の画像の各々の画像は、該複数の画像において固有の開口ゲート設定を使用して取得され、該固有の開口ゲート設定は、前記開口面における前記開口ゲートの位置、形状、および／またはサイズの特有の組み合わせに対応している、取得することを行い、
前記複数の画像の各々を、対応する画素群へと分割し、
前記複数の画像の各々の前記対応する画素群に含まれる画素について、平均画素レベルまたはコントラスト値を計算し、
前記複数の画像における迷光を特定するために、前記計算された平均画素レベルまたはコントラスト値を比較する
ように設けられている、カメラ。
【請求項７】
イメージセンサ（１０８）と、
光を前記イメージセンサ（１０８）へと集光するためのレンズと、開口面に配置された開口ゲート（２０４ａ、２０４ｂ）を有している開口ユニット（１０３、２０３）と、処理ユニット（１０９）とを備えており、前記開口ゲート（２０４ａ、２０４ｂ）が、前記開口ユニットによって前記開口面において調節することができる位置、形状、および／またはサイズを有している、レンズアセンブリ（１０２、２０２）と、
を備えているカメラ（１００）であって、前記処理ユニットが、
前記カメラによってシーンの複数の画像を取得することであって、該複数の画像の各々の画像は、該複数の画像において固有の開口ゲート設定を使用して取得され、該固有の開口ゲート設定は、前記開口面における前記開口ゲートの位置、形状、および／またはサイズの特有の組み合わせに対応している、取得することを行い、
前記複数の画像の各々を、対応する画素群へと分割し、
前記複数の画像の各々の前記対応する画素群に含まれる画素について、平均画素レベルまたはコントラスト値を計算し、
前記複数の画像における迷光を特定するために、前記計算された平均画素レベルまたはコントラスト値を比較し、
前記比較の結果として、対応する画素群における迷光成分の相違に関するデータを生成し、
前記迷光成分の相違に関するデータにもとづいて出力画像を生成する
ように設けられている、カメラ。
【請求項８】
イメージセンサ（１０８）と、レンズアセンブリ（１０２、２０２）とを備えたカメラ（１００）を備えたシステムであって、前記レンズアセンブリ（１０２、２０２）が、
光を前記イメージセンサ（１０８）へと集光するためのレンズと、
開口面に配置された開口ゲート（２０４ａ、２０４ｂ）を有している開口ユニット（１０３、２０３）であって、前記開口ゲート（２０４ａ、２０４ｂ）が、前記開口ユニットによって前記開口面において調節することができる位置、形状、および／またはサイズを有している、開口ユニットと、
処理ユニットと
を備え、前記処理ユニットが、
前記カメラによって前記シーンの複数の画像を取得することであって、該複数の画像の各々の画像は、該複数の画像において固有の開口ゲート設定を使用して取得され、該固有の開口ゲート設定は、前記開口面における前記開口ゲートの位置、形状、および／またはサイズの特有の組み合わせに対応している、取得することを行い、
前記複数の画像の各々を、対応する画素群へと分割し、
前記複数の画像の各々の前記対応する画素群に含まれる画素について、平均画素レベルまたはコントラスト値を計算し、
前記複数の画像における迷光を特定するために、前記計算された平均画素レベルまたはコントラスト値を比較する
ように設けられている、システム。
【請求項９】
イメージセンサ（１０８）と、レンズアセンブリ（１０２、２０２）とを備えたカメラ（１００）を備えたシステムであって、前記レンズアセンブリ（１０２、２０２）が、
光を前記イメージセンサ（１０８）へと集光するためのレンズと、
開口面に配置された開口ゲート（２０４ａ、２０４ｂ）を有している開口ユニット（１０３、２０３）であって、前記開口ゲート（２０４ａ、２０４ｂ）が、前記開口ユニットによって前記開口面において調節することができる位置、形状、および／またはサイズを有している、開口ユニットと、
処理ユニットと
を備え、前記処理ユニットが、
前記カメラによって前記シーンの複数の画像を取得することであって、該複数の画像の各々の画像は、該複数の画像において固有の開口ゲート設定を使用して取得され、該固有の開口ゲート設定は、前記開口面における前記開口ゲートの位置、形状、および／またはサイズの特有の組み合わせに対応している、取得することを行い、
前記複数の画像の各々を、対応する画素群へと分割し、
前記複数の画像の各々の前記対応する画素群に含まれる画素について、平均画素レベルまたはコントラスト値を計算し、
前記複数の画像における迷光を特定するために、前記計算された平均画素レベルまたはコントラスト値を比較し、
前記比較の結果として、対応する画素群における迷光成分の相違に関するデータを生成し、
前記迷光成分の相違に関するデータにもとづいて出力画像を生成する
ように設けられている、システム。